(57)【特許請求の範囲】
【請求項１】
本体と、
表面処理ヘッドと、
スタンドとを有し、
前記スタンドは、前記器具の後方部分に取り付けられ、前記スタンドが前記本体を直立位置に支持する支持位置と収納位置との間で動くことができ、前記スタンドは、前記本体に加えられた力に応答して前記支持位置と前記収納位置との間で動くことができ、
前記スタンドを、前記支持位置から前記収納位置へ動かすのを助け、且つ前記収納位置から前記支持位置へ動かすのを助ける１つ又は２つ以上のオーバーセンタばね機構を更に含む、表面処理器具。
【請求項２】
前記力は、前記本体の直立位置と傾斜位置との間における前記本体の運動である、請求項１記載の表面処理器具。
【請求項３】
前記力は、下向きの力を更に含む、請求項２記載の表面処理器具。
【請求項４】
前記本体は、ハンドル及び／又はワンドを有し、前記力は、前記ハンドル及び／又は前記ワンドを介して加えられる、請求項１〜３のうちいずれか一に記載の表面処理器具。
【請求項５】
前記ハンドル及び／又は前記ワンドは、前記本体の頂部に設けられている、請求項４記載の表面処理器具。
【請求項６】
前記スタンドは、枢動箇所を中心に枢動可能に設けられ、前記器具の前記本体の重心が前記スタンドの前記枢動箇所を超えるまで、前記器具の前記本体が後方に傾けられるのに応答して、前記支持位置から前記収納位置に動くことができるよう構成されている、請求項１〜５のうちいずれか一に記載の表面処理器具。
【請求項７】
前記スタンドは、少なくとも１つのカム機構を更に有し、前記少なくとも１つのカム機構は、前記器具の前記本体が傾斜位置から直立位置に持ち上げられると、前記カム機構が前記スタンドを前記支持位置に動かすように構成されている、請求項１〜６のうちいずれか一に記載の表面処理器具。
【請求項８】
前記カム機構は、前記表面処理ヘッドに取り付けられた当接部材を有し、前記当接部材は、前記器具の前記本体が傾斜位置から直立位置に持ち上げられると、前記スタンドの一部分に係合してこれを押し、前記スタンドを前記支持位置に動かす、請求項７記載の表面処理器具。
【請求項９】
前記本体に回転可能に取り付けられていて、前記本体を表面に沿って動かすことができる車輪又はローラを更に有する、請求項１〜８のうちいずれか一に記載の表面処理器具。
【請求項１０】
前記車輪又は前記ローラは、前記本体の長手方向軸線に垂直な方向に実質的に連続した転がり支持面を構成する外面を備えた１つ又は２つ以上の回転可能な部材を有し、前記支持面は、前記本体の前記長手方向軸線に関して対称である、請求項９記載の表面処理器具。
【請求項１１】
前記車輪又は前記ローラは、前記電気器具の構成部品を収容している、請求項１０記載の表面処理器具。
【請求項１２】
前記構成部品は、使用の際に空気流を生じさせるよう構成されたモータ・ファン装置を含む、請求項１１記載の表面処理器具。
【請求項１３】
前記スタンドが前記支持位置にあるとき、前記表面処理ヘッドを前記本体に対して固定位置にロックする直立ロックを更に有する、請求項１〜１２のうちいずれか一に記載の表面処理器具。
【請求項１４】
前記直立ロックは、前記スタンドに設けられた突出部と、前記表面処理ヘッドに設けられたラッチと、を有する、請求項１３記載の表面処理器具。
【請求項１５】
前記突出部は、前記器具の損傷を阻止するよう前記ラッチを越えて動くことができる、請求項１４記載の表面処理器具。
【請求項１６】
前記直立ロック及び／又は前記直立ロックと関連した弾性付勢手段は、力が前記本体に加えられるまで、前記スタンドが前記支持位置に動くのを阻止する、請求項１３〜１５のうちいずれか一に記載の表面処理器具。
【請求項１７】
前記力は、前記直立ロックと関連した前記弾性付勢手段に打ち勝つのに十分な下向きの力である、請求項１６記載の表面処理器具。
【請求項１８】
ホースを更に有する、請求項１〜１７のうちいずれか一に記載の表面処理器具。
【請求項１９】
前記ホースの使用中、前記スタンドを前記支持位置にロックするよう構成されたホースロックを更に有する、請求項１８記載の表面処理器具。
【請求項２０】
前記ホースロックは、使用中、前記ホースが前記器具から引き離されると、前記スタンドをロックする当接部材を有する、請求項１９記載の表面処理器具。
【請求項２１】
前記ワンドが使用されているとき、前記スタンドを支持位置にロックする切換え弁ロックを更に有する、請求項４〜２０のうちいずれか一に記載の表面処理器具。
【請求項２２】
前記器具は、前記スタンドの車輪により運搬可能である、請求項１〜２１のうちいずれか一に記載の表面処理器具。
【請求項２３】
前記表面処理器具は、掃除機である、請求項１〜２２のうちいずれか一に記載の表面処理器具。
【請求項２４】
サイクロン汚れ及びほこり分離手段を更に有する、請求項２３記載の表面処理器具。
【発明の詳細な説明】
【技術分野】
【０００１】
本発明は、表面処理器具、例えば掃除機に関する。
【背景技術】
【０００２】
表面処理器具、例えば掃除機やフロアポリッシャ（電動床磨き機）は、周知である。掃除機の大半は、「直立」形か「筒」形かのいずれかであり、国によっては、キャニスタ又はバレル形掃除機と呼ばれている。典型的な直立形掃除機は、本体を含み、この本体は、掃除機の主要な構成部品、例えば、汚れた空気を機械内に引き込むモータ・ファンや、汚れ、ほこり及び他のくず（デブリ）をファンによって引き込まれた汚れた空気流から分離する或る形態の分離装置を収容している。本体は、又、清浄になった空気流中の微粒子を捕捉するフィルタを収容している。掃除機ヘッドが、本体の下端部に回転可能に取り付けられている。支持車輪が、本体に対して固定された関係をなして本体の下方部分の各側に取り付けられている。使用に当たり、ユーザは、掃除機の本体を傾け、次に、掃除機の本体に固定されているハンドルを押したり引いたりする。掃除機は、支持車輪で床面に沿って転がる。
【０００３】
汚れ空気入口が、掃除機ヘッドの下側に設けられている。汚れ空気は、電動ファンによって汚れ空気入口を介してほこり分離装置に引き込まれる。空気中に同伴されたごみ及びほこりが、分離装置で空気流から分離されると、空気は、第２の空気流ダクトによって清浄空気出口に導かれ、そして１つ又は２つ以上のフィルタを介して大気中に放出される。
【０００４】
従来の直立形掃除機には、これらが用いられる領域内を操縦するのが困難な場合があるという欠点がある。これら掃除機を十分容易に押したり引いたりすることができるが、掃除機を新たな方向に差し向けることは、困難である。例えば本出願人の英国特許出願第２３９１４５９号明細書に記載されているように、支持車輪の代わりに幅の広い転動支持体を用いることにより直立形掃除機を一層操縦しやすくすることが提案された。しかしながら、かかる電気器具では、直立又は垂直位置にあるとき、別の支持体が必要であり、これは、使用に当たり、厄介であり且つ扱い難いことが分かる。
【０００５】
本出願人の英国特許出願第０５００９９２号明細書に記載されているように、本体を直立位置に持ち上げることによって作動させることができ、アクチュエータペダルを押すことにより作動を停止させることができる支持組立体を用いることが提案された。しかしながら、かかる支持構造体は、ユーザにとって使い方が直観的に分かるものではなく、したがって、使用が困難な場合がある。
【０００６】
【特許文献１】英国特許出願第２３９１４５９号明細書
【特許文献２】英国特許出願第０５００９９２号明細書
【発明の開示】
【０００７】
したがって、本発明は、表面処理器具であって、本体と、表面処理ヘッドと、スタンドとを有し、スタンドは、器具の後方部分に取り付けられ、スタンドが本体を直立位置に支持する支持位置と収納位置との間で動くことができ、スタンドは、本体に加えられた力に応答して、支持位置と収納位置との間で動くことができることを特徴とする表面処理器具を提供する。
【０００８】
好ましい実施形態では、力は、直立位置と傾斜位置との間における本体の運動である。
【０００９】
追加的に又は代替的に、力は、本体に加えられる下向きの力を含むのが良い。
【００１０】
好ましい実施形態では、本体は、ハンドル及び／又はワンドを有し、力は、ハンドル及び／又はワンドに加えられる。ハンドル及び／又はワンドは、本体の頂部に配置されるのが良い。
【００１１】
一般に、表面処理器具は、本体が直立形態の状態で収納され、本体が傾斜位置の状態で使用される。したがって、本体に加えられた力、例えば、本体の直立位置と傾斜位置との間における本体の運動に応答して、支持位置と収納位置との間で自動的に動くことができるスタンドを設けると、より直観的にわかりやすい。この器具では、有利には、スタンドを昇降させるためにユーザによる直接的な行為は、不要である。ユーザは、単純に本体に下向きの圧力を加えると共に／或いは本体を使用できるように傾けるだけで良く、スタンドは、収納位置に自動的に動く。
【００１２】
具体的に言えば、スタンドは、ペダル無し又はアクチュエータ無しであり、したがって、ユーザは、スタンドを収納位置に動かすために、ペダル又は他のアクチュエータ、例えばレバー又はボタンを見つけ出してこれを押す必要はない。このように、スタンドは、スタンド、表面処理ヘッドのいかなる部分の物理的操作又はユーザによる他の直接的な介入を行わないで操作され、したがって、本発明の意味では「自動的」である。
【００１３】
好ましくは、スタンドは、支持位置と収納位置との間で枢動可能に移動できる。
【００１４】
スタンドを収納位置に動かすために、スタンドは、前方方向か後方方向かのいずれかに動くことができるのが良い。スタンドが前方方向に動くよう構成されている場合、スタンドは、収納位置では全体的に器具の下に又は表面処理ヘッドの一部分に横付けに配置されるのが良い。スタンドが後方方向に動くよう構成されている場合、スタンドは、収納位置では全体的に電気器具の後方に対して上方に折り畳まれているのが良い。
【００１５】
特定の実施形態では、スタンドは、器具の本体の重量がスタンドのオーバーセンタ位置に来るまで、後方に傾けられている器具の本体に応答して支持位置から収納位置に動くことができるよう構成されるのが良い。好ましい実施形態では、スタンドは、均衡点（バランスポイント）を備えていない。特定の実施形態では、これは、スタンドが器具の配置されている床面に対して実質的に９０°の角度をなしているとき、本体の重心がスタンドの後ろに位置するのを保証することによって達成される。これは有利であるが、その理由は、既存の支持組立体に関する共通の問題が、支持組立体が上にも下にも向いていない均衡点を有する場合があることであるからである。これは危険な場合がある。というのは、表面処理器具が、立てて放置された場合、この器具に少しぶつかっただけでも、器具が倒れることを引き起こし、それにより、器具が損傷を受けると共に／或いはユーザが怪我をする場合があるからである。
【００１６】
器具は、スタンドを収納位置と支持位置との間で動かすのを助ける弾性付勢手段、例えば１つ又は２つ以上のオーバーセンタばね機構を更に有するのが良い。
【００１７】
追加的に又は代替的に、少なくとも１つのカム機構を設けるのが良い。好ましい実施形態では、カム機構は、器具の本体が傾斜位置から直立位置に持ち上げられると、カム機構がスタンドを支持位置に動かすように構成されるのが良い。カム機構は、例えば、アクチュエータ、例えば、表面処理ヘッドに設けられたアクチュエータ又は表面処理ヘッドと関連したヨークを有するのが良い。ユーザが表面処理器具の本体を傾斜位置から直立位置に持ち上げると、アクチュエータは、スタンドの一部分に係合してこれを押し、それによりスタンドを支持位置に動かすよう構成されているのが良い。
【００１８】
一実施形態では、表面処理器具は、本体に回転可能に取り付けられていて、本体を表面に沿って動かすことができる車輪又はローラを更に有するのが良い。車輪又はローラは、本体の長手方向軸線に垂直な方向に、実質的に連続した転がり支持面を定める外面を備えた１つ又は２つ以上の回転可能な部材を有するのが良く、支持面は、好ましくは、本体の前記長手方向軸線に関して対称である。車輪又はローラは、器具の構成部品、例えば、使用の際に、流体の流れを生じさせるよう構成されたモータ及び／又はファン装置を収容するのが良い。器具は、ワンドを更に有するのが良い。
【００１９】
追加的に、器具は、スタンドが支持位置にあるとき、表面処理ヘッドを本体に対して固定された位置にロックする直立ロックを更に有するのが良い。有利には、これにより、器具全体を床から持ち上げて、表面処理ヘッドが床に向かって落下することなく運ぶことができる。直立ロックは、本体を使用のために傾斜位置に傾けると、自動的に解除されるよう構成されているのが良い。
【００２０】
本体を使用のために傾斜位置に傾けると自動的に解除されるスタンドを設けることが望ましいが、或る特定の状況では、器具をスタンドの車輪で運搬できるようにすることも又、望ましい場合がある。これは、スタンドが、本体に加わる力に応答して支持位置と収納位置との間で動くことができる器具を依然として提供しながら、幾つかの方法で達成できる。
【００２１】
例えば、特定の実施形態では、直立ロック又は直立ロックの一部分は又、スタンドが偶発的に作動するのを阻止する機能と、スタンドを支持位置に動かすカムとしての機能の両方を有することができる。かかる実施形態では、直立ロックは、直立ロック弾性付勢手段、例えば、オーバーセンタばねと関連しているのが良い。直立ロック及び直立ロック付勢手段は、スタンドが偶発的に収納位置に動くことがないのを保証するのに役立ち得る。好ましい実施形態では、下向きの力を本体のワンド又はハンドルに加えるのが良い。好ましくは、この力は、器具が傾けられるにつれて加えられる。この下向きの力は、直立ロック付勢手段の力に打ち勝つのに役立ち得る。直立ロックがいったん解除されると、スタンド作動弾性付勢手段は、スタンドに作用してこれを収納位置に動かすことができる。
【００２２】
かかる実施形態では、ワンド又はハンドルに下向きの力が加えられることなく、器具を傾けることが可能であり、それにより、器具をスタンドの車輪で運ぶことができる。
【００２３】
変形実施形態では、スタンドは、１対の脚と、少なくとも１本のレバーアームとで構成されても良い。好ましい実施形態では、単一のレバーアームが設けられる。レバーアームは、脚のうちの１本の横に並んで、例えば、脚のうちの１本の内面の横に並んで延びるよう構成されているのが良い。使用に当たり、レバーアームは、ユーザが器具を傾けるのに応答して、スタンドを収納位置に動かすことができるように構成されているのが良い。レバーアームは、好ましくは、第１の端部で器具の本体に枢動可能に取り付けられる。好ましくは、レバーアームの第２の端部は、レバーアームが並置されている脚の表面に設けられた溝と係合するよう構成された外向きのピンを更に有する。スタンドは、好ましくは、スタンドが支持位置にあるとき、ピンが、器具の本体から見て最も遠くに位置する溝の端部のところに配置されるよう構成されている。この実施形態では、溝を有するスタンドの脚は、また、溝の中に突き出るよう弾性的に付勢されるカムを更に有するのが良い。したがって、ユーザが器具を傾けると、レバーアームのピンは、弾性付勢手段の力に抗してカムを越えて動かなければならない。ピンがいったんカムを通過すると、ピンは、ユーザが器具を更に傾け続けるにつれて、引き続き溝に沿って動く。この実施形態では、ピンが溝に沿っていったん或る特定の箇所に達すると、スタンドを収納位置と支持位置との間で動かすのを助けるように、スタンド作動弾性付勢手段、例えばオーバーセンタばね機構を設けるのが良い。
【００２４】
この実施形態では、ピンは、溝の中に突き出るよう弾性的に付勢されたカムを通過しなければならないので、或る大きさの力が必要である。有利には、このことは、ワンド又はハンドルに下向きの力を加えることなく、器具を傾けることができ、したがって、器具をスタンドの車輪で運ぶことができるということを意味している。十分な圧力がワンド又はハンドルに加えられた場合にのみ、カムに作用している弾性付勢手段を圧縮し又は変形させることにより、ピンは、カムを通過することができる。
【００２５】
この実施形態では、少なくとも１つの戻しカム機構を追加的に設けるのが良い。好ましい実施形態では、戻しカム機構は、器具の本体が傾斜位置から直立位置に持ち上げられると、戻しカム機構は、スタンドを支持位置に動かすよう構成されているのが良い。戻しカム機構は、例えば、アクチュエータ、例えば表面処理ヘッドに配置されたアクチュエータを有するのが良い。ユーザが器具の本体を傾斜位置から直立位置に持ち上げると、アクチュエータは、スタンドの一部分に係合してこれを押し、スタンドを支持位置に動かすよう構成されているのが良い。しかしながら、この実施形態では、ピンは、スタンドが支持位置に達することができる前に、弾性的に付勢されているカムを通り過ぎる必要がある。弾性的に付勢されているカムを通り過ぎるのに必要な力を減少させるために、弾性的に付勢されているカムは、脚に枢動可能に取り付けられるのが良い。枢動可能に取り付けられたカムを設けることは、スタンドを支持位置に再設定するのに必要な力が、スタンドを収納位置に動かすのに必要な力よりもかなり小さくするのを保証するのに役立つ。これはまた、有利には、スタンドが収納位置と支持位置との間の位置に残されたままになるというリスクを減少させるのに役立ち得る。好ましくは、脚は、ピンが器具の本体から見て最も遠くに位置する溝の端部に向かって動くときに、弾性的に付勢されているカムが枢動することができるが、ピンが他の方向に動いているときには、弾性的に付勢されているカムが旋回することができないように構成されたカムブロックを更に有する。
【００２６】
器具は、ホースを更に有するのが良い。かかる実施形態では、器具は、ホースロックを更に有するのが良い。好ましい実施形態では、ホースロックは、ホースの使用中、スタンドを支持位置にロックするよう構成されるのが良く、したがって、ユーザが後ろ向きの引張力をホースに加えた場合、スタンドは、収納位置に動かないようになっている。これは、ホースが使用されている間、器具が倒れないのを保証するのに役立つので有利である。特定の実施形態では、ホースロックは、使用の際、ホースが使用中、ホースが器具から引き離されると、スタンドを押してスタンドを支持位置にロックする当接部材を有する。ホースロックは、好ましくは、ホースが本体に収納されたとき、自動的に解除されるよう構成されている。
【００２７】
器具は、また、ワンドが使用されているとき、スタンドを支持位置にロックする切換え弁ロックを更に有するのが良い。好ましい実施形態では、切換え弁ロックは、本体へのワンドの収納位置からワンドを取り外した際に、スタンドを支持位置にロックするよう構成されているのが良い。これは、ワンドが使用されている間、器具が倒れないように保証するのに役立つので有利である。特定の実施形態では、切換え弁ロックは、使用の際、ワンドが器具へのその収納位置から取り外されると、スタンドを押してスタンドを支持位置にロックする当接部材を有する。切換え弁ロックは、好ましくは、ワンドが本体に収納されると、自動的に解除されるよう構成されている。
【００２８】
本発明は、直立形掃除機、例えば、幅の広いボール状転がり支持組立体を有する直立形掃除機に利用されるのに特に適しているが、従来の直立形掃除機又は他の家庭用器具にも適用できる。特定の実施形態では、掃除機は、サイクロンごみ及びほこり分離手段を更に有するのが良い。
【００２９】
「表面処理器具」という用語は、広い意味を有することが意図されており、表面を何らかの仕方で掃除し又は処理するよう表面上を移動する表面処理ヘッドを備えた広範な器具を含む。かかる用語は、とりわけ、例えば掃除機（乾式、湿式及び／又は湿式／乾式）のような、吸引力を表面に及ぼして物質を表面から吸い取る器具、及び例えば、磨き／ワックス掛け機、圧力洗浄機、地面印付け機械及び洗髪機械のような、物質を表面に施す器具を含む。かかる用語は又、芝刈り機及び他の切断機械を含む。
【発明を実施するための最良の形態】
【００３０】
次に、添付の図面を参照して、本発明を例示的に説明する。なお、全ての図面は概略図である。
【００３１】
図１〜図４を参照すると、表面処理器具が、掃除機の形態で示されており、これは、全体が参照符号１で指示されている。掃除機１は、本体２と、ユーザにより操作可能なハンドル３と、掃除機１を床面５に沿って転がす大ローラ４と、を有している。ローラ４は、吸引空気流を発生させるモータ及びファン（これらの図では見えない）を収容している。本体２は、ファン及びモータにより掃除機１内に引き込まれた汚れた空気流からごみ、ほこり及び他のくず（デブリ）を分離する分離装置６を収容している。
【００３２】
この実施形態では、分離装置６は、ごみ及びほこりをスピンさせてこれらを空気流から除去するサイクロン式である。サイクロン分離装置６は、互いに直列に配置された２つのサイクロン分離段を有する。第１の段は、円筒形壁付きチャンバ７であり、第２の段は、互いに並列に配置された１組のテーパ付けられた実質的に切頭円錐形のチャンバ８を含む。空気流は、ダクト９によってチャンバ７の上方部分内に接線方向に差し向けられる。より大きなくず及び粒子は、このサイクロンチャンバ７内で除去されてこの中に集められる。次に、空気流は、シュラウド（図示せず）を通って１組のサイクロンチャンバ８に至る。より細かいほこりは、これらチャンバ８によって分離されて、共通の収集領域に集められる。第２の組をなす分離器８は、直立、即ち、これらの流体入口及び流体出口は、頂部に位置し、ごみ出口は、底部に位置していてもよく、或いは、上下逆さま、即ち、これらの流体入口及び流体出口は、底部に位置し、ごみ出口が、頂部に位置していても良い。分離装置６の性状は、本発明にとって重要ではない。
【００３３】
本体２は、また、清浄になった空気流中の微粒子を捕捉するフィルタ（これらの図では見えない）を更に収容している。これらフィルタは、分離装置６では空気流から除去されなかったほこりの微粒子を除去する。モータ前置フィルタと呼ばれる第１のフィルタが、モータ及びファンの前に設けられている。モータ後置フィルタと呼ばれる第２のフィルタが、モータ及びファンの後に設けられている。吸引ファンを駆動するモータが、炭素ブラシを有する場合、モータ後置フィルタは又、ブラシによって放出された炭素粒子を捕捉するのに役立つ。次に、清浄な空気は、大気中に放出される。
【００３４】
掃除機ヘッド１０が、本体２の下端部に枢動可能に取り付けられており、この掃除機ヘッドは、使用の際に、床面５を処理するのに役立つ。掃除機ヘッド１０の床に向いた下側は、空気入口スロット１１を有している。
【００３５】
ローラ４により、掃除機１を床面５に沿って容易に操作をすることができる。しかしながら、ローラ４は、本体２が直立位置、即ち、垂直又は実質的に垂直の位置にあるとき、掃除機１の十分な支持体とはならない場合がある。このために、全体が符号１２で示されたスタンドが設けられている。
【００３６】
図１〜図４、図５ａ、図５ｂ及び図６を参照すると、スタンド１２は、２本の脚１３，１４を有し、補強ストラット１５が、これら頂端部１３ａ，１４ａ間に延びていることが理解できる。図示の実施形態では、床面５の最も近くに位置する脚１３，１４の底端部１３ｂ，１４ｂは、車輪１６を更に有している。しかしながら、これら車輪１６は、存在しなくても良い。車輪１６は、脚１３，１４の各端部１３ｂ，１４ｂに回転可能に取り付けられている。車輪１６は、スタンド１２の脚１３，１４の内側に配置されている。
【００３７】
脚１３，１４の頂端部１３ａ，１４ａは、掃除機１の本体２に枢動可能に取り付けられている。図示の実施形態では、左側の脚１４は、出口ダクト１８から延びる第１の突起１７に枢動可能に取り付けられており、この出口ダクトは、分離装置６を通過した空気を排気部（図示せず）に運ぶ。右側の脚１３は、ダクト９から延びる第２の突起１９に枢動可能に取り付けられており、このダクトは、空気を空気入口スロット１１から分離装置６に運ぶ。この構成により、本体２は、スタンド１２が図１に示すような支持位置にあるとき、スタンド１２の頂部に支持される。スタンド１２は、脚１３，１４の底端部１３ｂ，１４ｂが、良好な安定性を得るために掃除機の後方に突き出るように構成されている。したがって、脚１３，１４は、直立位置にあるときに、掃除機１の荷重の少なくとも一部を支える。図１で理解できるように、本体２は、この実施形態で示された直立位置では、僅かに後方に傾けられている。当然のことながら、本体２は、「直立位置」では、垂直であっても良く、又は、僅かに前方に傾けられても良い。
【００３８】
スタンド１２は、またオーバーセンタばね機構２０を有し、このオーバーセンタばね機構は、スタンド１２を図１に示すような支持位置と図４に示すような収納位置との間で動かすのを助ける。
【００３９】
掃除機１が従来の床掃除モードで用いられる場合、ユーザは、本体２を傾ける。本体２を傾けることにより、掃除機１は、図２に示す位置に向かって動く。図２に示す位置では、掃除機１の重心は、脚１３，１４の枢動箇所の後ろに位置し、ばね機構２０は、スタンド１２を図４に示す収納位置に動かす。この構成は、有利であるが、その理由は、スタンド１２が、上でもなく下でもない図２に示す均衡点のところに安定することができないのを保証するからである。ばね機構２０をいったん作動させると、スタンド１２は、図４に示す位置に動き、この位置では、脚１３，１４及び車輪１６は、床５から離れて保持され、好ましくは、本体２と掃除機ヘッド１０との間の連結部を提供するヨーク２１のチャネル又は孔の下又は内側にしまい込まれる。スタンド１２が収納位置にあるとき、本体２は、もはやスタンド１２のアーム１３，１４には支持されず、その代わり、ハンドル３を保持したユーザによって支持される。掃除機１は、今や、表面処理ヘッド１０を介して、床面５を掃除するために使用できる。
【００４０】
ユーザが掃除機１を直立位置に戻したいとき、ユーザは、本体２を枢動移動させて図３に示す位置を経て図１に示す位置に向かって戻す。図３は、支持位置に作動されようとしているスタンド１２を示している。本体２を直立位置に向かって動かすにつれて、ヨーク２１の領域２２（図２及び図８ｂを参照されたい）は、脚１３，１４のうちの一方の頂端部１３ａ，１４ａの内面から延びる突出部２３に支持され、スタンド１２を支持位置に向かってヨーク２１から離す。図３に示す位置では、ばね機構２０は、スタンド１２を図１に示す支持位置に動かす。したがって、このばね機構２０は、スタンド１２が上でも下でもない図２に示す均衡点のところに安定することができないのを保証する。ばね機構２０がいったん作動すると、スタンド１２は、脚１３，１４及び車輪１６が掃除機１の後ろで床５と接触状態にある図１に示す位置に動く。かくして、ユーザは、ハンドル３を放してもよく、本体２は、スタンド１２によって支持されたままになる。すると、掃除機１は、直立位置に支持される。ハンドル３は、本体２の後側部分から上方に延びている。掃除機１が図１に示す位置にあるとき、掃除機１を床上掃除のためのいわゆる「筒モード（シリンダモード）」で用いることができ、この場合、ハンドル３を解除してホース・ワンド組立体２４として用いるのが良い。
【００４１】
好ましい実施形態では、領域２２は、ヨーク２１に可動的に取り付けられるのが良い。これは、ヨーク２１又はヨーク２１の近くの領域にチャネル３４、例えば弧状チャネルを形成することにより達成できる。領域２２は、Ｃ字形又はＯ字形リング３８の一部を形成するのが良く、このリングは、チャネル３４内に可動的に設けられているのが良い。好ましい実施形態では、リング３８は、追加的に、ヨーク２１が取り付けられるモータバケット（図示せず）の一部分に回転可能に取り付けられるのが良い。かかる実施形態では、リング３８は、チャネル３４内で且つモータバケットの一部分の周りで摺動することができる。図９は、領域２２を構成するＯ字形リングがチャネル３４から取り外された状態の分解組立図である。しかしながら、使用の際、Ｏ字形リング３８は、チャネル３４内に納まっていても良い。好ましくは、ばね３６は、一端部がモータバケットに固定され、他端部がリング３８に固定され、領域２２がチャネル３４の頂端部に向かって付勢されるようになっているのが良い。
【００４２】
この構成は、有利には、掃除機１の傾斜中、領域２２がダクト構造９，１８の下を通過しようとするのを阻止するのに役立ち得る。この構成は又、有利には、掃除機１の傾斜中、領域２２がダクト構造９，１８にいったん当接すると、掃除機ヘッド１０が床５から持ち上げられるのを阻止することができる。掃除機１が直立位置から傾斜位置に動くにつれて、領域２２は、ダクト構造９，１８の下を通過しようとしないで、これに当接する。掃除機１をますます傾けると、領域２２は、ばね３６の付勢力に抗してダクト構造９，１８の一部だけチャネル３４に沿って摺動するようになる場合がある。掃除機１を直立位置に戻すと、ばね３６の付勢力により、領域２２は、次第にその元の位置に戻る。元の位置に戻っている際、領域２２は、脚１３，１４のうちの一方の頂端部１３ａ，１４ａの内面から延びる突出部２３（図１及び図２に示されている）に当接する。この場合、ばね機構２０の付勢力は、スタンドを押し出すに足るほど大きい。
【００４３】
図６で理解できるように、掃除機１は、ワンド２４ａの遠位端部のところで空気入口を開き、ワンド２４ａが地面上掃除のために本体２への収納位置から解除されるのに応答して空気入口を分離装置６に連結するよう構成された切換え弁２５を有するのが良い。切換え弁２５は又、ワンド２４ａが掃除機の本体２への収納位置に配置されたことに応答して、ワンド２４ａの遠位端部のところで空気入口を自動的に閉じると共に、分離装置６を掃除機ヘッド１０の入口１１に連結するよう構成されている。
【００４４】
切換え弁２５は、本体２に枢動可能に取り付けられ、切換え弁ロック２６を更に有する。切換え弁２５がワンド２４ａの遠位端部のところで空気入口を開くよう旋回すると、切換え弁ロック２６は、補強ストラット１５に設けられた凹部２７と接触状態になり、この補強ストラットは、脚１３，１４の頂端部１３ａ，１４ａ間に延びている。切換え弁ロック２６と凹部２７のこの係合により、スタンド１２は、支持位置にロックされ、したがって、有利には、スタンド１２が、ユーザがワンド２４ａ又はこれに取り付けられているホース２８を引っ張った場合でもその収納位置に偶発的に動くのを阻止する。
【００４５】
例えば、掃除機１がホース２８を有するがワンドを備えていない、図５ａ及び図５ｂに示すような変形実施形態では、ホースロック２９を設けるのが良い。ホース２８は、本体２に枢動可能に取り付けられている。ホース２８が地面上掃除のために用いられているとき、ホースロック２９は、脚１３，１４の頂端部１３ａ，１４ａ間に延びる補強ストラット１５に接触する。このホースロック２９は、図７に詳細に示されており、スタンド１２は、ホース２８が本体２に固定されると（図７に示す直立位置）、支持位置と収納位置との間で自由に動くことができるが、ホース２８が例えば地面上掃除のための使用中、本体２から引き離されると（図７に示す水平位置）収納形態に動くのが阻止されるのがわかる。このホースロック２９を自動締付け形と記載することができる。というのは、ホース２８を強く引っ張るほど、ホースロック２９がきつくなり、かくして、スタンド１２の偶発的な作動停止が阻止されるからである。
【００４６】
図８ａ及び図８ｂで理解できるように、掃除機１が直立位置にあり、スタンド１２が支持位置（図８ｂ）にあるとき、直立ロック突出部２３は、ラッチ３０に引っかけられ、したがって、本体２に対してラッチ止めされる。これにより、ユーザは、掃除機ヘッド１０が垂れ下がって操作性を損ねたりすることなく、掃除機１全体を床５から持ち上げることができる。本体２を後方に傾斜させることにより、掃除機ヘッド１０は、ラッチ３０から解除され、その結果、掃除機１の本体２を傾けると、ヘッド１０は、処理されるべき床面５と接触状態のままになる。
【００４７】
図１０に示す特定の実施形態では、ラッチ３０及び直立ロック突出部２３は、十分な力がこれらに加えられた場合、これらが互いに越えて動くことができ又は互いに「ぶつかって外れる」ことができるように寸法決めされているのが良い。有利には、これは、掃除機１の損傷を阻止することができる。使用中、ラッチ３０及び突出部２３は、掃除機ヘッド１０の重量が重力を受けて作用して負荷がかけられた状態ではは、互いに接触状態のままであろう。しかしながら、大きな力を加えた場合、突出部２３は、ラッチ３０を越えて動くことができ、それにより、掃除機ヘッド１０は、下方に垂れることができ、掃除機１の損傷が阻止される。
【００４８】
加うるに、ラッチ３０は、好ましくは、突出部２３が必要な場合にこのラッチを越えて動くことができる一方で、突出部２３は、ラッチ３０をいったん通過すると、ラッチ３０の後ろに捕捉状態になることができないように形作られるのが良い。これは、低プロフィールの細長いラッチ３０を設けることにより達成できる。
【００４９】
一実施形態では、ラッチ３０及び突出部２３は、掃除機１全体が床５から持ち上げられたとき、掃除機ヘッド１０が垂れ下がるのを阻止するロックとして働くためにのみ設けられている。ラッチ３０及び突出部２３を、掃除機ヘッド１０の任意適当な部分に設けることができる。変形実施形態では、掃除機１全体を床５から持ち上げたとき、掃除機ヘッド１０が垂れ下がるのを阻止する機能は、領域２２及び突出部２３が、この機能及びスタンド１２の作動及び／又は作動停止の機能を受け持つことにより達成できる。
【００５０】
本体２は、本体２のベースに位置するローラ４に回転可能に連結されている。ローラ４により、掃除機を表面５に沿って容易に押し又は引くことができる。ローラ４の形状、本体２とローラ４の連結、及びローラ４と掃除機ヘッド１０の連結により、掃除機１を従来型掃除機よりも一層容易に操縦をすることができる。
【００５１】
ローラ４の全体形状は、樽に似ている。長手方向軸線に沿う方向に外面の形状を見ると、全体として平坦な中央領域と、各端部のところに位置し、シェルの直径又は幅が減少する弧状領域と、が存在する。平坦な中央領域は、ユーザが掃除機１を直線に沿って舵取りするのを助ける。というのは、掃除機は、自然な状態では、真っ直ぐに走行し、後方運動中、ふらつく恐れが低いからである。表面に対するグリップを向上させるために隆起部３１がローラ４の外面に設けられている。
【００５２】
掃除機ヘッド１０は、本体２を広範な作動位置にわたり操縦をしているとき、例えば、側から側に動かしているとき、又は本体２をその長手方向軸線回りにひねったとき、掃除機ヘッド１０が床面５と接触状態のままであるように、掃除機１の本体２に連結されている。ヨーク２１は、本体２を掃除機ヘッド１０に連結する。ヨーク２１は、ローラ４の回転軸線の各端部に取り付けられている。ヨーク２１は、本体２とは独立して回転することができる。ヨーク２１の前方中央部分のところには、継手３２が設けられ、この継手は、掃除機ヘッド１０に連結されている。
【００５３】
ヨーク２１及び継手３２の枢動取付構成により、本体２をローラ４と一緒に、コルク栓抜きのように、その長手方向軸線回りに回転させることができ、その間、掃除機ヘッド１０は、床面５と接触状態のままである。また、この構成により、掃除機ヘッド１０は、本体２を長手方向軸線回りに回転させると、新たな方向に向く。
【００５４】
支持組立体１２は、掃除機１の運動範囲全体にわたりヨーク２１に対してきちんとしまい込まれた状態のままである。これにより、ユーザは、家具や他の低い障害物の下を掃除しているときでも、掃除機１を容易に操縦することができる。
【００５５】
図１１及び図１２は、本発明の変形実施形態の略図である。図１１で理解できるように、全体が符号３８で示されたスタンドは、少なくとも１本のレバーアーム（図１１では符号４０で示されており、図１２では、レバーアーム４０は、省かれている）を有するのが良い。レバーアーム４０は、スタンド３８の脚４２のうちの１つの内側に沿って延びるよう配置されている。使用の際、レバーアーム４０は、ユーザが掃除機１を傾斜させるのに応答して、スタンド３８を収納位置に動かすことができるように構成されるのが良い。レバーアーム４０は、好ましくは、レバーアーム４０の第１の端部４４で、掃除機１の本体４６へのピボット箇所４３に枢動可能に取り付けられている。好ましくは、レバーアーム４０の第２端部４８は、外方に向いたピン又は突出部５０を更に有し、このピンは、レバーアーム４０と並置関係にある脚４２の表面に設けられた溝５２と係合するよう配置されている。スタンド３８は、好ましくは、支持位置（図１１及び図１２に示されている）にあるとき、ピン５０が本体４６から見て最も遠くに位置する溝５２の端部のところに配置されるよう構成されている。この実施形態では、溝５２を有するスタンド３８の脚４２は、カム５４を更に有するのが良く、このカムは、溝５２内に突き出るように、ばね５６によって弾性的に付勢されている。したがって、ユーザが掃除機１を傾けると、レバーアーム４０のピン５０は、ばね５６の力に抗してカム５４を通り過ぎなければならない。ピン５０がカム５４をいったん通過すると、このピンは、ユーザが掃除機１を更に傾け続けるにつれて、溝５２に沿って動き続ける。この実施形態では、ピン５０が溝５２に沿う或る特定の箇所にいったん達すると、スタンド３８を収納位置と支持位置との間で動かすのを助けるために、別の弾性付勢手段、例えばオーバーセンタばね機構５８を設けるのが良い。
【００５６】
この実施形態では、ピン５０は、溝５２内に突き出るように弾性的に付勢されたカム５４を通り過ぎなければならないので、或る大きさの力が必要である。有利には、このことは、ワンド又はハンドル６２に下向きの力を加えないで掃除機１を傾けることができ、したがって、掃除機１をスタンド３８の車輪６０で運ぶことができるということを意味している。十分に大きな下向きの力がワンド又はハンドル６２に加えられた場合にのみ、ピン５０は、ばね５６を圧縮し又は変形させることによりカム５４を通り過ぎることができる。
【００５７】
この実施形態では、少なくとも１つの戻しカム機構が追加的に設けられるのが良い。この戻しカム機構は、先の実施形態において上述したものであるのが良い。しかしながら、この実施形態では、ピン５０は、スタンド３８が支持位置に来る前にカム５４を通過する必要がある。カム５４を通過するのに必要な力を減少させるため、カム５４は、ピボット箇所６４で脚３８に枢動可能に取り付けられるのが良い。好ましくは、脚４２は、また、カムブロック６６を更に有し、このカムブロックは、ピン５０が本体４６から見て最も遠くに位置する溝５２の端部に向かって動くときに、カム５４が枢動することができるが、ピン５０が本体４６に向かって他の方向に動いているときには、カムが枢動することができないようにするよう構成されている。
【００５８】
図１３ａ〜図１３ｃは、本発明の変形実施形態の略図である。図１３ａ〜図１３ｃでは、スタンド６８のたった１本の脚６７しか見えない。この実施形態では、全体が符号７０で示された直立ロックが、弾性付勢手段、この場合オーバーセンタばね７２によって作動される。図１３ａに示す実施形態では、直立ロック７０が脚６８に設けられたカム７４と接触状態にあることが分かる。かかる実施形態では、ワンド又はハンドルに下向きの力を加えないで、掃除機をスタンド６８の車輪８２で傾けることも可能であり、したがって、掃除機をスタンド６８の車輪８２で運ぶことができる。
【００５９】
好ましい実施形態では、掃除機を傾け、下向きの力がワンド又はハンドルに加えられると、ばね７２により直立ロック７０に加えられている力に打ち勝つ。これにより、ばね７２は、センタ越え（オーバーセンター）して、カム７４を直立ロック７０から解除する。直立ロック７０がいったん解除されると、別のオーバーセンタばね８０が、スタンド６８に作用してこれを図１３ｃに示すように収納位置に動かすことができる。ユーザが掃除機を立ててスタンドを支持位置に動かそうとすると、ヨーク７８の突出部７６は、直立ロック７０に設けられている孔８４内に戻り、そして直立ロック７０を駆動して、スタンドが支持位置にある図１３ａに示す位置に戻す。
【００６０】
図示の実施形態では、ダクト９，１８が空気流を運ぶ掃除機１が示されているが、理解されるように、本発明は、他の流体、例えば水や洗剤を運ぶクリーナに利用できる。
【００６１】
空気流からのほこりの分離は、他の手段、例えば従来の袋形フィルタ、多孔質ボックスフィルタ、静電気分離器又は他の或る形態の分離装置を用いて同様に実施できる。掃除機ではない装置の実施形態に関しては、本体は、この装置により実施される仕事に適した機器を収容するのが良い。例えば、床磨き機の場合、本体は、液体ワックスを入れたタンクを収容するのが良い。
【００６２】
ヘッド１０は、モータ（図示せず）に連結されると共にこれによって駆動可能なブラシバー（図示せず）を更に備えるのが良い。代替的に又は追加的に、ブラシバーは、例えば、流入又は排出空気流によって駆動されるタービンによって又は吸引ファンを駆動するのに用いられるモータへの結合によって、他の仕方で駆動されても良い。変形例として、モータとブラシバーとの間の結合は、歯車式結合を介するものであっても良い。変形実施形態では、ブラシバーを完全に省いても良く、その結果、装置は、吸引力だけを利用し又は表面の或る他の攪拌形態により動作するようになる。他形式の表面処理機械の場合、掃除機ヘッドは、床面を処理する適当な手段、例えば、磨きパッド、液体又はワックス小出しノズル等を有するのが良い。掃除機ヘッドの下面は、表面を容易に動くことができるよう小形ローラを有するのが良い。
【図面の簡単な説明】
【００６３】
【図１】本発明に従って構成された表面処理器具の実施形態の側面図であり、スタンドが支持位置にある状態で示されている図である。
【図２】スタンドの畳み込み時点における図１の器具を示す図である。
【図３】スタンドの作動時点における図１及び図２の器具を示す図である。
【図４】スタンドが収納位置にある状態の図１、図２及び図３の器具を示す図である。
【図５ａ】ホース及びホースロックを有する本発明の実施形態の部分斜視図であり、ホースロックが非ロック位置にある状態を示す図である。
【図５ｂ】図５ａの器具を示す図であり、ホースロックがロック位置にある状態を示す図である。
【図６】ワンド及び切換え弁ロックを有する本発明の実施形態の部分斜視図であり、切換え弁ロックがロック位置（点線）及び非ロック位置（実線）で示されている状態を示す図である。
【図７】ロック位置と非ロック位置の両方で示された本発明のホースロックの図である。
【図８ａ】本発明の掃除機の実施形態の部分側面図であり、スタンドを収納位置で示すと共に直立ロックを非ロック構造で示す図である。
【図８ｂ】スタンドが支持位置にあり、直立ロックがロック構造にある状態で図８ａの器具を示す図である。
【図９】本発明の実施形態のヨークの分解組立図である。
【図１０】本発明の実施形態の側面図である。
【図１１】本発明の実施形態の側面図である。
【図１２】本発明の実施形態の側面図である。
【図１３ａ】本発明の実施形態の側面図である。
【図１３ｂ】本発明の実施形態の側面図である。
【図１３ｃ】本発明の実施形態の側面図である。
【符号の説明】
【００６４】
１  掃除機
２  本体
３  ハンドル
４  ローラ
５  床面
６  サイクロン分離装置
１０  掃除機ヘッド
１２，３８  スタンド
１３，１４  脚
１６  車輪
２０  オーバーセンタばね機構体
２３  直立ロック突出部
２４  ワンド
２５  切換え弁
２８  ホース
２９  ホースロック
７０  直立ロック
【図１】
0004852769.tif 000002
【図２】
0004852769.tif 000003
【図３】
0004852769.tif 000004
【図４】
0004852769.tif 000005
【図５ａ】
0004852769.tif 000006
【図５ｂ】
0004852769.tif 000007
【図６】
0004852769.tif 000008
【図７】
0004852769.tif 000009
【図８ａ】
0004852769.tif 000010
【図８ｂ】
0004852769.tif 000011
【図９】
0004852769.tif 000012
【図１０】
0004852769.tif 000013
【図１１】
0004852769.tif 000014
【図１２】
0004852769.tif 000015
【図１３ａ】
0004852769.tif 000016
【図１３ｂ】
0004852769.tif 000017
【図１３ｃ】
0004852769.tif 000018